(57)【特許請求の範囲】
【請求項１】
側面が蛇腹形状の容器（１）と、液体内容物吐出装置（３）を容器内部に取り付けたキャップ（２）と、からなるディスペンサー容器であって、前記キャップ（２）にノズル（２１）を備え、水平に設置した前記容器（１）を下向きに変形させることで容器内圧力が上昇し、液体内容物が前記ノズル（２１）から上向きに吐出するとともに、
前記液体内容物吐出装置（３）が、本体（３１）と前記ノズル（２１）へ内容物を供給する供給口（３２１）を有するチャンバー（３２）と、前記チャンバー（３２）内に、下端が液体内容物の液面下にありかつ上端が閉塞され横穴（３３１）の開けられた搬送パイプ（３３）とゴム質で作られ横穴（３３１）を塞ぐように取り付けられたカバーパイプ（３４）とを備え、前記横穴（３３１）と前記カバーパイプ（３４）とでバルブ（３４１）を形成し、一定値以上の容器内圧力がかかると前記バルブ（３４１）が開き、前記横穴（３３１）を通して液体内容物を前記ノズル（２１）から上向きに吐出するものであり、
前記搬送パイプ（３３）の上端の前記横穴（３３１）の開けられた部位に、供給室（３３２）を備えたことを特徴とするディスペンサー容器。
【請求項２】
液体内容物の吐出後の容器（１）内のヘッドスペース容量が一定で、かつ容器内圧の上昇の推移が一定であることを特徴する請求項１に記載のディスペンサー容器。
【請求項３】
前記キャップ（２）の周縁の天面部（２２）が、前記ノズル（２１）よりも高い位置にあることを特徴とする請求項１または２に記載のディスペンサー容器。
【請求項４】
前記キャップ（２）と前記液体内容物吐出装置（３）とが、ネジ式で螺合されていることを特徴とする請求項１〜３の何れか１項に記載のディスペンサー容器。
【請求項５】
前記ノズル（２１）が、該ノズルの外側よりシールするシールラベル（４）により密封されていること特徴とする請求項１〜４の何れか１項に記載のディスペンサー容器。
【請求項６】
前記シールラベル（４）が、基材層（４１）とイージーピール性を有するシーラント層（４２）からなることを特徴とする請求項５記載のディスペンサー容器。
【請求項７】
前記容器（１）の底部の外側に吸着部材（Ｄ）を備えたことを特徴とする請求項１〜６の何れか１項に記載のディスペンサー容器。
【発明の詳細な説明】
【技術分野】
【０００１】
本発明は、容器に充填した液体内容物を一定量取り出すことができるディスペンサー容器に関するものである。
【背景技術】
【０００２】
従来より、シャンプー、リンス、うがい薬を代表するように内容液を一定量取り出して使用するために、ディスペンサー容器が種々使用されている。これらの使用方法は、ディスペンサーポンプを片手で押し、一方の手で液受けするか、または一方の手で持って容器に液受けするなど、両方の手を使用する必要がある。
【０００３】
昨今、伝染病蔓延防止策として、うがい、手洗いの励行が言われており、施設建物の入り口には消毒用エタノールを設置している場合が多く見られる。しかしそのほとんどが通常のポンプディスペンサー容器の流用であり、操作方法や吐出量がこの用途に適したものとは言いがたい不便な面があった。特に操作方法においては、片手でポンプを押し、もし一方の手で内容液を受けるために、両手を自由にしなければならず、荷物持参では、一度荷物を置いてから作業を行うため、手を洗浄するだけで時間を費やし、洗浄待ちの行列ができることも見受けられる。
【０００４】
また一度に多くの量が出てくる構造のため、液量調整のためにはディスペンサーのストロークを微妙に調整することも必要で、出しすぎで服が脱色するというトラブルも発生している。
【０００５】
市販のディスペンサーでは、殺菌薬液用として、操作をし易くするためにノズルを横方向に延長したものが見られるが、操作方法は従来のものと変わらず不便な面がある。
【０００６】
また通常のシャンプー、リンスでも同じような不便な面がある。例えばシャワーノズルを片手に洗髪を行うときには、一度シャワーノズルを置かなければならない。
【０００７】
また、ディスペンサーの向きを自在に変えられるように取り付け方法を工夫した容器が提案されている（特許文献１）。
【０００８】
トリガースプレー部材と容器を連結する伸縮・屈曲可能な頸部を備えて色々な角度にトリガー操作ができる提案であるが、やはり両方の手を使用するなど不便な面がある。
【０００９】
片手でポンプ操作が可能で、かつその掌に液体内容物を液受けできる便利性を有したディスペンサー容器が望まれている。
【先行技術文献】
【特許文献】
【００１０】
【特許文献１】特開平１０−２５８８６５号公報
【発明の概要】
【発明が解決しようとする課題】
【００１１】
本発明は、背景技術の問題に鑑みて、主に殺菌薬液、シャンプー、リンスや手洗い用液体石鹸などのように、掌に受けて使用する液体内容物の取り出し方法について、片手のみで取り出し、液受けが可能で、かつ吐出量の調整が容易にできるディスペンサー容器を提供するものである。
【課題を解決するための手段】
【００１２】
上記の課題を解決するために、発明者らは鋭意検討を行い、本発明を完成した。
【００１３】
本発明の請求項１に係る発明は、側面が蛇腹形状の容器（１）と、液体内容物吐出装置（３）を容器内部に取り付けたキャップ（２）と、からなるディスペンサー容器であって、前記キャップ（２）にノズル（２１）を備え、水平に設置した前記容器（１）を下向きに変形させることで容器内圧力が上昇し、液体内容物が前記ノズル（２１）から上向きに吐出するとともに、
前記液体内容物吐出装置（３）が、本体（３１）と前記ノズル（２１）へ内容物を供給する供給口（３２１）を有するチャンバー（３２）と、前記チャンバー（３２）内に、下端が液体内容物の液面下にありかつ上端が閉塞され横穴（３３１）の開けられた搬送パイプ（３３）とゴム質で作られ横穴（３３１）を塞ぐように取り付けられたカバーパイプ（３４）とを備え、前記横穴（３３１）と前記カバーパイプ（３４）とでバルブ（３４１）を形成し、一定値以上の容器内圧力がかかると前記バルブ（３４１）が開き、前記横穴（３３１）を通して液体内容物を前記ノズル（２１）から上向きに吐出するものであり、
前記搬送パイプ（３３）の上端の前記横穴（３３１）の開けられた部位に、供給室（３３２）を備えたことを特徴とするディスペンサー容器である。
【００１６】
本発明の請求項２に係る発明は、液体内容物の吐出後の容器（１）内のヘッドスペース容量が一定で、かつ容器内圧の上昇の推移が一定であることを特徴する請求項１記載のディスペンサー容器である。
【００１７】
本発明の請求項３に係る発明は、前記キャップ（２）の周縁の天面部（２２）が、前記ノズル（２１）よりも高い位置にあることを特徴とする請求項１または２に記載のディスペンサー容器である。
【００１８】
本発明の請求項４に係る発明は、前記キャップ（２）と前記液体内容物吐出装置（３）とが、ネジ式で螺合されていることを特徴とする請求項１〜３の何れか１項に記載のディスペンサー容器である。
【００１９】
本発明の請求項５に係る発明は、前記ノズル（２１）が、該ノズルの外側よりシールするシールラベル（４）により密封されていること特徴とする請求項１〜４の何れか１項に記載のディスペンサー容器である。
【００２０】
本発明の請求項６に係る発明は、前記シールラベル（４）が、基材層（４１）とイージーピール性を有するシーラント層（４２）からなることを特徴とする請求項５記載のディスペンサー容器である。
【００２１】
本発明の請求項７に係る発明は、前記容器（１）の底部の外側に吸着部材（Ｄ）を備えたことを特徴とする請求項１〜６の何れか１項に記載のディスペンサー容器である。
【発明の効果】
【００２２】
本発明は、側面が蛇腹形状の容器と液体内容物吐出装置を容器内部に取り付けたキャップとからなるディスペンサー容器で、ポンプを兼ねた蛇腹容器を下向きに押すことで液体内容物が上昇し、掌で操作してその掌にキャップのノズルから液体内容物を吐出させることが可能であり、即ち片手で操作が可能である。液体内溶液の吐出速度も少ないので量の調整が容易にできる。また吐出していくと蛇腹容器が徐々に下方に変形していくので、その形状から液体内容物の補充時期の目安ともなるディスペンサー容器である。
【００２３】
本発明の請求項１によれば、側面が蛇腹形状の容器１と液体内容物吐出装置３を容器内
部に取り付けたキャップ２とからなるディスペンサー容器であって、水平に設置した容器１を下向きに変形させることで容器内圧力が上昇して液体内容物がキャップ２に備えたノズル２１から上向きに吐出する。この発明によって、液体内容物を取り出し作業、即ち掌によってキャップを押し、押した掌で液体内容物を受けることができるが可能となる。即ち両手を使用せず、片手での使用が可能となる。
【００２４】
また、液体内容物吐出装置３が、本体３１と下端が内容物液面下にありかつ上端が閉塞され横穴３２１の開けられた搬送パイプ３２とゴム質で作られ搬送パイプ３２を覆うように取り付けられるカバーパイプ３３からなり、一定値以上の容器内圧力がかかると両者で構成されるバルブ３４１が開き横穴を通して液体内容物が吐出する。横穴はカバーパイプに覆われており、通常横穴にはカバーパイプが密着し閉じている状態である。ここに一定以上の容器内圧力がかかると液体内容部の圧力にて密着閉鎖していたカバーパイプが開き（バルプが開き）、横穴を通ってチャンバー内へ液体内容物が流れる。そのチャンバーの上部中央には、キャップの中央に設けたノズルへ供給する供給口があり、その供給口を通してノズルへと伝わり、ノズルから上向きに液体内容物を吐出することができる。また横穴の開口径の大きさで希望する吐出量に設計することが可能であり、また使用者は、容器の押し圧と押し時間を使用者自身で調整することが可能である。
【００２５】
さらに、搬送パイプ３３の上端の横穴３３１の開けられた部位に、供給室３３２を備えたことを特徴とする。横穴を開けた供給室３３２は、一定以上の容器内圧力がかかると液圧で押し上げられた液体内容物が供給室３３２を経て横穴へと進む。
容器を加圧する加重を除くと内圧が下がり、横穴３３１がカバーパイプ３４で塞がれ、供給が止まる状態になる。このときに、上昇した液体内容物が搬送パイプと通って下に落ちないように供給室３３２に留めることができる。液体内容物を供給室に留めることにより、吐出を安定して行うことができる。
【００２６】
本発明の請求項２によれば、液体内容物の吐出に伴い、容器の変形が進むことでヘッドスペース容量が一定となり、液体内溶物の残量に係らず容器内圧の上昇の仕方が一定であることを特徴とする。通常の容器では、液体内容物の減少に伴う減圧変形を防止するために外気を流入するが、本提案では容器を押す量と内圧上昇を一定の関係とすることで、使用開始から終了まで押出す感覚も一定で使えるという特徴がある。
【００２７】
本発明の請求項３によれば、キャップ２の周縁の天面部２２がノズル２１よりも高い位置にあり、液体内容液が上向きに吐出することを特徴とするディスペンサー容器である。キャップの周縁の天面部を掌で押しながら、その掌に液体内容物を吐出することが可能となる。例えば液体内容物を取り出す時は、片手のみで操作、液受けがワンタッチで可能とある。
【００２８】
本発明の請求項４によれば、キャップ２と液体内容物吐出装置３の本体３１とがネジ式で螺合されていることを特徴とする。予め組み立てられた内容物吐出装置の本体とキャップとがネジ式で螺合することにより、取り付けが容易にできる。
【００２９】
本発明の請求項５によれば、ノズル２１が該ノズルの外側よりシールするシールラベル４により密封されていることを特徴とする。蛇腹容器の液体内容物を充填後、液体内容物吐出装置を組み付けたキャップを取り付け、その後ノズル２１にノズルの外側よりシールするシールラベル４を貼着する。このシールラベルは、液体内容物の保護、品質の維持をするものである。
【００３０】
本発明の請求項６によれば、前記シールラベル４が、基材層４１とイージーピール性を有するシーラント層４２からなることを特徴とする。イージーピール性を有するシーラント層を用いることにより、ノズルを封ししたシールラベルを容易に開封することができる。
【００３１】
本発明の請求項７によれば、蛇腹容器の底部の外側に吸着部材Ｄを備えたことを特徴とする。他の安定した部材への吸着部材を備えることで、例えば置かれている容器を掌で押しても、容器と他の安定した部材との吸着連結により安定感が出て、倒れ難くなり、使用し易くなる。例えばゴム製、ウレタン製からなる吸着盤などを用いることができる。
【図面の簡単な説明】
【００３２】
【図１】本発明のディスペンサー容器の一例を示す説明図である。
【図２】本発明のディスペンサー容器で搬送パイプの上部に供給室を設けた一例を示す説明図である。
【図３】図２に示す液体内容物吐出装置を取り付けたキャップで、使用時、通常に置かれた状態での一例を示す説明図である。
【図４】図２に示す液体内容物吐出装置を取り付けたキャップで、ノズルより液体内容物が吐出した状態の一例を示す説明図である。
【図５】図２に示すディスペンサー容器で、ノズルより液体内容物を吐出している状態の一例を示す説明図である。
【図６】図２に示すディスペンサー容器で、ディスペンサー容器の底部の外側に吸着盤を装着した一例を示す説明図である。
【図７】シールラベルの構成の一例を示す説明図である。
【発明を実施するための形態】
【００３３】
以下本発明を実施するための形態につき説明する。
【００３４】
以上の内容に基づいて構造案を詳述する。図１は、本発明のディスペンサー容器の一例を示す説明図である。
【００３５】
本発明のディスペンサー容器Ａは、容器１と液体内容物吐出装置３を容器内部に組み付けたキャップ２と、吐出するノズルを封しするシールラベル４からなっている。容器１とキャップ２とは、ネジ式、乃至嵌合で組み合わさっており、液止め機能があり脱着可能である。内容液の補充は、キャップを外して行うことができる。
【００３６】
液体内容物吐出装置３について説明する。液体内容物吐出装置３は、本体３１とチャンバー３２と搬送パイプ３３とカバーパイプ３４からなり、本体３１には液体内容物をノズルに供給する供給口３２１を設けたチャンバー３２があり、そのチャンバー内には、下端が内容物液面下にありかつ上端が閉塞され横穴３３１の開けられた搬送パイプ３３とゴム質で作られ前記横穴３３１を塞ぐように取り付けられたカバーパイプ３４とを備えている。横穴３３１とカバーパイプ３４とでバルブ３４１を形成している。
【００３７】
容器１は、通常のダイレクトブロー成形品、延伸ブロー成形品のほか射出成形品、フィルム製容器など、蛇腹形状の容器で正立可能なものであれば使用できる。容器１の材質は、ポリエチレン、ポリプロピレン、ポリエステル、乃至はこれらを基材にしてバリアを付与する構造として、エチレン・ビニル共重合体、ポリアミドなどと多層化した容器を用いることができる。また液体内容物の耐性に従って、最内層の樹脂を最適のものに選択すればよい。
【００３８】
キャップの材質は、ポリエチレン、ポリプロピレンなどのポリオレフィン系樹脂をする。
また内容物吐出装置の各部材もポリエチレン、ポリプロピレンなどのポリオレフィン系樹脂、ポリエチレンテレフタレート樹脂など使用できる。
【００３９】
また容器１の口元部とキャップ２との取り付けは、ネジ式で螺合させたり、またはパッキンを使用して嵌合することができる。ネジ式で螺合させることにより、液体内容物の補充の際は、取り外しも容易にできる。
【００４０】
この横穴３３１とカバーパイプ３４とを組みつけてバルブ３４１を形成している。このカバーパイプ３４の部品はゴムのような変形量が大きく復元する素材で構成される。また内容物吐出装置３は、部品によっては金属部品を使うことも可能であるが、容器全体の重心が高く正立状態が不安定な場合はできるだけ軽量な部品構成であることが望ましい。
【００４１】
また液体内容物吐出装置は、本体３１、チャンバー３２などは、ポリエチレン、ポリプロピレンなどのポリオレフィン系樹脂を用い射出成形して得ることができる。また搬送パイプは、ポリエチレン、ポリプロピレンなどのポリオレフィン系樹脂からなるパイプで、内径、外径などは、使用する液体内容物の種類、吐出する量などで適宜決めればよい。また搬送パイプの上部の横穴は、レーザーカット、抜き加工などで穴あけができる。これら部品を熱融着または接着剤を用いて組み立て作成することができる。
【００４２】
またキャップ２と液体内容物吐出装置の本体３１とは、ネジ式で螺合し、嵌合することにより組み立て易くなる。
【００４３】
図２は、図１の液体内容物吐出装置３で、搬送パイプの上端に横穴３３１の開けられた供給室３３２を備えたものである。該供給室は、予め射出成形にて作成し、その成形体に搬送パイプを組み入れ、そしてチャンバー、本体と組み立てれば作成することができる。
【００４４】
図３は、図２に示す液体内容物吐出装置を取り付けたキャップで、使用時、通常に置かれた状態での一例を示す説明図である。ノズルのシールラベルを剥がした後を示している。
【００４５】
図４は、図２に示す液体内容物吐出装置を取り付けたキャップで、ノズルより液体内容物が吐出した状態の一例を示す説明図である。一定値以上の容器内圧力がかかるとバルブ３４１が開き、横穴３３１を通して液体内容物をノズル２１から上向きに吐出している状態を示している。
【００４６】
次に液が出るまでの工程を説明する。キャップの周縁の天面部Ｂを加圧すると、ヘッドスペース（図に示していない）の空気が圧縮されて圧力が高まり、これが液体内容液にも伝わり液圧も同様に上昇する。この圧力がカバーパイプ３４の押さえ圧よりも高まると横穴３３１から高い圧力で液体内容物が本体チャンバー３２を満たし、供給口３２１を通してノズル２１から上向きに噴出される。液体内容物の流れをＣで示す。ここで容器１を加
圧する荷重を取り除くと、内圧が下がり横穴３３１が塞がれ、液の吐出は止まる。このときの容器内圧は、閉じ込められた空気の圧力と容器の復元力のバランスで決まり、容易に変形する容器であるほど内圧は初期圧に近づく。初期圧に近いほど容器１を押す感触と吐出量の関係はほぼ一定である。
【００４７】
横穴を開けた供給室３３２は、液圧で押し上げられた液体内容物が供給室３３２を経て横穴へと進む。容器１を加圧する加重を除くと内圧が下がり、横穴３３１がカバーパイプ３４で塞がれ、供給が止まる状態になる。このときに、上昇した液体内容物が搬送パイプから下に落ちないように供給室に留めることができる。
【００４８】
図５は、図２に示すディスペンサー容器で、ノズルより液体内容物を吐出している状態の一例を示す説明図である。掌によりキャップの周縁の天面部Ｂを加圧し、容器を変形させ、容器内圧をかけ、液圧を上げ、液体内容物が搬送パイプを通してキャップに備えたノズルから上向きに液体内容物が吐出する。よって掌に液体内容物を液受けすることができる。片手で操作、液受けがワンタッチでできる。
【００４９】
図６は、本発明のディスペンサー容器の底部の外側に吸着部材Ｄを装着した一例を示す説明図である。吸着部材Ｄを備えることで、他の部材との吸着連結により安定感が出て、倒れ難くなり、使用し易くなる。これによって正立置きが安定する。使用する吸着部材Ｄは、容器と吸着部材および吸着部材と他部材との吸着連結材として、両面粘着テープなどで可能であるが、ゴム製、ウレタン製などの吸着盤も使用できる。図６に示すように吸着盤Ｄを用いて、容器の底面と他の安定した部材と吸着固定すると取り扱いがし易く好ましい。またシャンプー、リンスなどの粘性の高い液体内容物では、吸着盤を壁に貼着し、横向きに吐出させることで液体内容物を出易くすることができる。この場合は、容器の落下を防ぐために、容器ホルダーを壁に設けると更に安定する。容器ホルダーの取り付けは、吸着盤を用いることにより可能である。
【００５０】
図７は、シールラベルの構成の一例を示す説明図である。ノズルを封しするシールラベル４は、少なくとも基材層４１とイージーピール性を有するシーラント層４２からなる積層体を用いる。基材層４１としては、延伸ポリエチレンテレフタレートフィルム、延伸ポリプロピレンフィルム、延伸ナイロンフィルム、延伸ポリエチレンナフタレートフィルム、シリカ蒸着延伸ポリエチレンテレフタレートフィルム、アルミナ蒸着延伸ポリエチレンテレフタレートフィルム、延シリカ蒸着延伸ナイロンフィルム、アルミナ蒸着延伸ナイロンフィルム、シリカ蒸着延伸ポリエチレンナフタレートフィルム、アルミナ蒸着延伸ポリエチレンナフタレートフィルム、厚み１０μｍ〜５０μｍ、好ましくは１０μｍ〜３０μｍがよい。
【００５１】
シーラント層４２としては、イージーピール性を有した樹脂を使用する。イージーピール性を有したシーラント層としては、凝集破壊タイプ、層間剥離タイプ、界面剥離タイプがある。
【００５２】
凝集破壊タイプは、シーラント層自体が凝集破壊するタイプで、ポリプロピレン、ポリエチレン、ポリスチレンなどの樹脂を混合した樹脂を用いて、フィルム化し、基材層に積層したり、またはこの樹脂の塗工液を塗布することにより使用することができる。
【００５３】
例えばポリエチレン、高密度ポリエチレン、直鎖状低密度ポリエチレン、ポリエチレンなどのポリオレフィン樹脂とポリブテン系樹脂を混合した樹脂、またポリオレフィン樹脂とポリスチレン樹脂を混合した樹脂などが使用することができる。
【００５４】
層間剥離タイプは、共押出し法にて３層フィルムを作成し、中間層から剥離するもので
ある。この共押出しフィルムを基材層に積層し使用することができる。
【００５５】
界面剥離タイプは、エチレン−酢酸ビニル共重合体樹脂の酢酸ビニルの混合比率を上げた樹脂を用いて、フィルム化し、基材層に積層して使用することができる。
【００５６】
イージーピール性を有したシーラント層として、上記３タイプのいずれでも使用できる。キャップに使用される材料に合わせ、シーラント層の厚みは、剥離強度、剥離性などから適宜決めればよい。
【００５７】
ノズルを封しするシールラベルは、キャップのノズル部分を覆うようにシールラベルに熱圧を掛け熱融着することで貼着することができる。またキャップを射出成形にて作成するときに、シールラベルを金型内に、ノズルの外側からラベルが覆うように設置し、射出成型と同時に熱融着し貼着することができる。即ちインモールド方式によりシールラベルを貼着することができる。またシールラベルとノズル部とのシール部のどちらかの端部に未シール部を設けることにより、容器の開封時、シールラベルの未シール部を指で摘まんで容易に剥がすことができる。
【００５８】
本発明の特徴は、片手で容器の操作と液体内容物の液受けができるようにしたことで、操作が楽になり操作時間が短縮できたことである。このため、例えば、施設の入口に設置した殺菌用アルコールの取り出しがスムーズになり、人が列を作らずスムーズに施設に入ることができる。また、シャワーノズルを持ちながらシャンプーを取り出すことも楽にできる。また片手に怪我を負ったりして不自由を強いられている場合でも、片手で取り出せるので、健常者との間に、使い勝手の差がなくなる。
【００５９】
また本発明の特徴は、また従来のディスペンサーが液体内容物を吸い上げて蓄積してから押出す構造であるため、吐出量を微調整することが難しかったが、本提案の容器では押出すだけでありその流路は吸い上げることを考えずに設計できるので、用途目的に応じた寸法が自由に決められることも特徴である。ここでは横穴の穴径が吐出速度に大きく関与する。この構造は、ごく少量を使いたい場合から、一度に多量を使いたい場合まで、対応が可能である。
【００６０】
また本発明の特徴は、本提案のディスペンサー容器はディスペンサーが容器から突き出ていない分、収納効率が良く搬送費用が安くなる。また落下してもディスペンサーが直接床に当たることが無いので、破損の危険が低い。更には容器を柔らかい構造にするため、容器自身の耐衝撃性も高いといったことも特徴がある。
【００６１】
以下具体的実施例について説明する。
【実施例１】
【００６２】
入れ目量が５００ｍｌ、満量が５５０ｍｌで外径が７０ｍｍの広口の蛇腹式容器を、内容物吐出装置を組み付けたキャップとパッキンを挟んで組み付けた。ノズル位置はキャップの周縁の天面部よりも１０ｍｍ低い位置に設けた。横穴の内径はキャップの周縁の天面部を約０．５ニュートンの荷重で１秒押すと２ｍｌ吐出するよう設定した。液体内容物には殺菌用エタノールを満たした。
【００６３】
この容器を施設入口に見立てた壁に向かって右側に設置した。これを上記の操作条件を予め体験させた試験者３０名を１列に並ばせ、体は正面を壁に向けたままキャップの周縁の天面部を右手の掌で操作して、右掌で吐出した液体内容物を受けさせ、この操作を連続して３０名が行った。この場合の合計時間と使用量の合計を表１に示した。
【実施例２】
【００６４】
実施例１において、入口に見立てた壁に向かって左側に設置した容器を使って、左手を使って実施例１と同様の計測を行い、結果を表１に示した。
【実施例３】
【００６５】
実施例１にノズル延長部品をキャップノズルに組み付け、キャップの周縁の天面部よりも上から滴下するように変更し、入口に見立てた壁に向かって右側に設置した容器を使って、右手の手の甲を使って同様の計測を行い、結果を表１に示した。
【実施例４】
【００６６】
実施例３において、入口に見立てた壁に向かって左側に設置した容器を使って、左手の手の甲を使って同様の計測を行い、結果を表１に示した
＜比較例１＞  
通常のポンプディスペンサー容器で入れ目量が５００ｍｌ、満量が５５０ｍの容器に、頭部外径が３０ｍｍで１回の吐出量が２ｍｌのディスペンサーを使い、被験者左手には荷物を持たせて実施例１と同じ計測を行い、結果を表１に示した。
【００６７】
表１に実施例、比較例の評価結果を示す。
【００６８】
【表１】
0005754125.tif 000002
比較結果から、実施例１〜４での合計時間が通常のポンプディスペンサー容器の約半分になっている。片手で操作、液受けが可能で便利性に有したディスペンサー容器であることができた。
【産業上の利用可能性】
【００６９】
本発明のディスペンサー容器は、手を消毒する殺菌用エタノール、手洗いの液体石鹸、またシャンプー、リンスや、ヘアークリーム、洗顔クリームなどの容器などにも利用できる。
【符号の説明】
【００７０】
１  容器
２  キャップ
２１  ノズル
２２  キャップの周縁の天面部
３  液体内容物吐出装置
３１  本体
３２  チャンバー
３２１  供給口
３３  搬送パイプ
３３１  横穴
３３２  供給室
３４  カバーパイプ
３４１  バルブ
４  シールラベル
４１  基材層
４２  シーラント層
Ａ  本発明のディスペンサー容器
Ｂ  圧力（外加重）
Ｃ  液体内容物の流れ
Ｄ  吸着部材
【図１】
0005754125.tif 000003
【図２】
0005754125.tif 000004
【図３】
0005754125.tif 000005
【図４】
0005754125.tif 000006
【図５】
0005754125.tif 000007
【図６】
0005754125.tif 000008
【図７】
0005754125.tif 000009